(57)【要約】  本発明は、デュアルスクリーン端末、画面表示方法及び装置を提供し、この画面表示方法は、デュアルスクリーン端末中のメイン画面とサブ画面との間の相対的な位置状態を特定し、ここで、メイン画面は、デュアルスクリーン端末のホスト上に位置し、ホストとサブ画面はヒンジで連結されるステップと、メイン画面とサブ画面との間の相対的な位置状態に対応するメイン画面とサブ画面の画面表示モードを特定するステップと、特定した画面表示モードによって、メイン画面とサブ画面に対して表示処理を行うステップと、を含む。本発明によれば、関連技術におけるデュアルスクリーン端末がヒューマンコンピュータインタラクションに不便で、オフィス経験が悪い問題が解決され、ヒューマンコンピュータインタラクションに便利であるようにし、オフィス経験を改善させる効果を達成した。【選択図】図２
2019502141.tif 000002
【特許請求の範囲】
【請求項１】
メイン画面を含むホストと、サブ画面と、を備え、
前記ホストと前記サブ画面はヒンジで連結され、前記メイン画面と前記サブ画面との間の相対的な位置状態は、前記メイン画面と前記サブ画面の画面表示モードに対応する
デュアルスクリーン端末。
【請求項２】
前記メイン画面と前記サブ画面との間の相対的な位置状態と、前記メイン画面と前記サブ画面の画面表示モードとの対応関係は、
前記メイン画面と前記サブ画面との間の相対的な位置状態が、前記メイン画面と前記サブ画面が背中合わせに外部に向けて置かれた場合、対応する前記メイン画面と前記サブ画面の画面表示モードはシングルスクリーン表示モードであり、ここで、前記シングルスクリーン表示モードは、前記メイン画面と前記サブ画面のうち１つの画面のみが作動状態にあるモードである対応関係と、
前記メイン画面と前記サブ画面との間の相対的な位置状態が、前記メイン画面と前記サブ画面が平に置かれた場合、対応する前記メイン画面と前記サブ画面の画面表示モードはデュアルスクリーン表示モードであり、ここで、前記デュアルスクリーン表示モードは、前記メイン画面と前記サブ画面が同時に作動状態にあるモードである対応関係と、を含む
請求項１に記載のデュアルスクリーン端末。
【請求項３】
前記デュアルスクリーン表示モードは、ワイドシングルスクリーンモード、デュアルスクリーンモード、ミラーモードのいずれかを含み、
前記ワイドシングルスクリーンモードは、前記メイン画面と前記サブ画面が同じアプリケーションを共通に表示できるモードであり、
前記デュアルスクリーンモードは、前記メイン画面と前記サブ画面がそれぞれ異なるアプリケーションを表示できるモードであり、
前記ミラーモードは、前記メイン画面と前記サブ画面がいずれも縦長にある場合、前記メイン画面と前記サブ画面が同じアプリケーションを共通に表示でき、前記メイン画面と前記サブ画面がいずれも横長にある場合、前記メイン画面と前記サブ画面のうちの一方の画面はアプリケーションを表示するために使用され、他方の画面は入力操作を実行するために使用される
請求項２に記載のデュアルスクリーン端末。
【請求項４】
前記ホストは、異なるデュアルスクリーン表示モードに対して切り替えを行うためのホームボタンをさらに含む
請求項３に記載のデュアルスクリーン端末。
【請求項５】
前記ホストは、前記メイン画面と前記サブ画面の相対的な位置状態を制御するための電子スイッチをさらに含む
請求項２に記載のデュアルスクリーン端末。
【請求項６】
デュアルスクリーン端末中のメイン画面とサブ画面との間の相対的な位置状態を特定し、ここで、前記メイン画面は、前記デュアルスクリーン端末のホスト上に位置し、前記ホストと前記サブ画面はヒンジで連結されるステップと、
前記メイン画面と前記サブ画面との間の相対的な位置状態に対応する前記メイン画面と前記サブ画面の画面表示モードを特定するステップと、
特定した前記画面表示モードによって、前記メイン画面と前記サブ画面に対して表示処理を行うステップと、を含む
画面表示方法。
【請求項７】
前記メイン画面と前記サブ画面との間の相対的な位置状態と、前記メイン画面と前記サブ画面の画面表示モードとの対応関係は、
前記メイン画面と前記サブ画面との間の相対的な位置状態が、前記メイン画面と前記サブ画面が背中合わせに外部に向けて置かれた場合、対応する前記メイン画面と前記サブ画面の画面表示モードはシングルスクリーン表示モードであり、ここで、前記シングルスクリーン表示モードは、前記メイン画面と前記サブ画面のうち１つの画面のみが作動状態にあるモードである対応関係と、
前記メイン画面と前記サブ画面との間の相対的な位置状態が、前記メイン画面と前記サブ画面が平に置かれた場合、対応する前記メイン画面と前記サブ画面の画面表示モードはデュアルスクリーン表示モードであり、ここで、前記デュアルスクリーン表示モードは、前記メイン画面と前記サブ画面が同時に作動状態にあるモードである対応関係と、を含む
請求項６に記載の方法。
【請求項８】
前記デュアルスクリーン表示モードは、ワイドシングルスクリーンモード、デュアルスクリーンモード、ミラーモードのいずれかを含み、
前記ワイドシングルスクリーンモードは、前記メイン画面と前記サブ画面が同じアプリケーションを共通に表示できるモードであり、
前記デュアルスクリーンモードは、前記メイン画面と前記サブ画面がそれぞれ異なるアプリケーションを表示できるモードであり、
前記ミラーモードは、前記メイン画面と前記サブ画面がいずれも縦長にある場合、前記メイン画面と前記サブ画面が同じアプリケーションを共通に表示でき、前記メイン画面と前記サブ画面がいずれも横長にある場合、前記メイン画面と前記サブ画面のうちの一方の画面はアプリケーションを表示するために使用され、他方の画面は入力操作を実行するために使用される
請求項７に記載の方法。
【請求項９】
前記メイン画面と前記サブ画面との間の相対的な位置状態に対応する前記メイン画面と前記サブ画面の画面表示モードを特定するステップは、
前記相対的な位置状態が、前記メイン画面と前記サブ画面が平に置かれた場合、前記端末のホスト上のホームボタンを押して入力した信号によって、前記デュアルスクリーン表示モードを特定するステップを含む
請求項８に記載の方法。
【請求項１０】
前記ホスト上のホームボタンを押して入力した信号によって、前記デュアルスクリーン表示モードを特定するステップは、
前記端末のホスト上の前記ホームボタンを押すときの押圧力を特定するステップと、
前記押圧力が第１の押圧力範囲内にある場合、前記デュアルスクリーン表示モードを前記ワイドシングルスクリーンモードと特定するステップと、
前記押圧力が第２の押圧力範囲内にある場合、前記デュアルスクリーン表示モードを前記デュアルスクリーンモードと特定するステップと、
前記押圧力が第３の押圧力範囲内にある場合、前記デュアルスクリーン表示モードを前記ミラーモードと特定するステップと、を含み、
前記第１の押圧力範囲、前記第２の押圧力範囲、前記第３の押圧力範囲は互いに重畳しない圧力範囲である
請求項９に記載の方法。
【請求項１１】
前記ホスト上のホームボタンを押して入力した信号によって、前記デュアルスクリーン表示モードを特定するステップは、
前記ホスト上の前記ホームボタンを押して入力した信号及び前記メイン画面を押して入力した信号によって、前記デュアルスクリーン表示モードを特定するステップを含む
請求項９に記載の方法。
【請求項１２】
デュアルスクリーン端末中のメイン画面とサブ画面との間の相対的な位置状態を特定し、ここで、前記メイン画面は、前記デュアルスクリーン端末のホスト上に位置し、前記ホストと前記サブ画面はヒンジで連結される第１の特定モジュールと、
前記メイン画面と前記サブ画面との間の相対的な位置状態に対応する前記メイン画面と前記サブ画面の画面表示モードを特定する第２の特定モジュールと、
特定した前記画面表示モードによって、前記メイン画面と前記サブ画面に対して表示処理を行う表示モジュールと、を備える
画面表示装置。
【請求項１３】
前記メイン画面と前記サブ画面との間の相対的な位置状態と、前記メイン画面と前記サブ画面の画面表示モードとの対応関係は、
前記メイン画面と前記サブ画面との間の相対的な位置状態が、前記メイン画面と前記サブ画面が背中合わせに外部に向けて置かれた場合、対応する前記メイン画面と前記サブ画面の画面表示モードはシングルスクリーン表示モードであり、ここで、前記シングルスクリーン表示モードは、前記メイン画面と前記サブ画面のうち１つの画面のみが作動状態にあるモードである対応関係と、
前記メイン画面と前記サブ画面との間の相対的な位置状態が、前記メイン画面と前記サブ画面が平に置かれた場合、対応する前記メイン画面と前記サブ画面の画面表示モードはデュアルスクリーン表示モードであり、ここで、前記デュアルスクリーン表示モードは、前記メイン画面と前記サブ画面が同時に作動状態にあるモードである対応関係と、を含む
請求項１２に記載の装置。
【請求項１４】
前記デュアルスクリーン表示モードは、ワイドシングルスクリーンモード、デュアルスクリーンモード、ミラーモードのいずれかを含み、
前記ワイドシングルスクリーンモードは、前記メイン画面と前記サブ画面が同じアプリケーションを共通に表示できるモードであり、
前記デュアルスクリーンモードは、前記メイン画面と前記サブ画面がそれぞれ異なるアプリケーションを表示できるモードであり、
前記ミラーモードは、前記メイン画面と前記サブ画面がいずれも縦長にある場合、前記メイン画面と前記サブ画面が同じアプリケーションを共通に表示でき、前記メイン画面と前記サブ画面がいずれも横長にある場合、前記メイン画面と前記サブ画面のうちの一方の画面はアプリケーションを表示するために使用され、他方の画面は入力操作を実行するために使用される
請求項１３に記載の装置。
【請求項１５】
前記第２の特定モジュールは、
前記相対的な位置状態が、前記メイン画面と前記サブ画面が平に置かれた場合、前記端末のホスト上のホームボタンを押して入力した信号によって、前記デュアルスクリーン表示モードを特定する特定ユニットを備える
請求項１４に記載の装置。
【請求項１６】
前記特定ユニットは、
前記端末のホスト上の前記ホームボタンを押すときの押圧力を特定する第１の特定サブユニットと、
前記押圧力が第１の押圧力範囲内にある場合、前記デュアルスクリーン表示モードを前記ワイドシングルスクリーンモードと特定する第２の特定サブユニットと、
前記押圧力が第２の押圧力範囲内にある場合、前記デュアルスクリーン表示モードを前記デュアルスクリーンモードと特定する第３の特定サブユニットと、
前記押圧力が第３の押圧力範囲内にある場合、前記デュアルスクリーン表示モードを前記ミラーモードと特定する第４の特定サブユニットと、を備え、
前記第１の押圧力範囲、前記第２の押圧力範囲、前記第３の押圧力範囲は互いに重畳しない圧力範囲である
請求項１５に記載の装置。
【請求項１７】
前記特定ユニットは、
前記ホスト上の前記ホームボタンを押して入力した信号及び前記メイン画面を押して入力した信号によって、前記デュアルスクリーン表示モードを特定する第５の特定サブユニットを備える
請求項１５に記載の装置。
【発明の詳細な説明】
【技術分野】
【０００１】
本発明は、通信分野に関し、具体的には、デュアルスクリーン端末、画面表示方法及び装置に関する。
【背景技術】
【０００２】
科学技術の発展とともに、端末（例えば、携帯電話、フラットＰＣ、以下、携帯電話を例として説明する）の普及率もますます高まっている。また、端末の各技術性能指標もますますよくなっており、端末の部分的な機能を利用して、コンピュータを代替できるので、モバイルオフィスに便利である。しかし、携帯電話を利用してモバイルオフィスを行う場合には、有効な表示領域が小さすぎ、閲覧に不便で、ヒューマンコンピュータインタラクションを行うのに不便である問題がある。
【０００３】
関連技術におけるデュアルスクリーン携帯電話は、いずれも上下にフリップし、左右にスライドする方式を採用している。関連技術における上下にフリップし、左右にスライドする携帯電話は、メイン／サブ画面間の距離が大きいため、スクリーンを跨って同じ画像を表示できず、他方の画面はキーボードとして使用できないので、ヒューマンコンピュータインタラクションに不便で、モバイルオフィス経験が悪い。
【０００４】
関連技術に存在する上記の問題に対して、現在有効な解決策が提示されていない。
【発明の概要】
【発明が解決しようとする課題】
【０００５】
本発明は、少なくとも関連技術におけるデュアルスクリーン端末がヒューマンコンピュータインタラクションに不便で、オフィス経験が悪い問題を解決するための、デュアルスクリーン端末、画面表示方法及び装置を提供する。
【課題を解決するための手段】
【０００６】
本発明の一実施例によれば、メイン画面を含むホストと、サブ画面と、を備え、前記ホストと前記サブ画面はヒンジで連結され、前記メイン画面と前記サブ画面との間の相対的な位置状態は、前記メイン画面と前記サブ画面の画面表示モードに対応するデュアルスクリーン端末が提供される。
【０００７】
選択的に、前記メイン画面と前記サブ画面との間の相対的な位置状態と、前記メイン画面と前記サブ画面の画面表示モードとの対応関係は、前記メイン画面と前記サブ画面との間の相対的な位置状態が、前記メイン画面と前記サブ画面が背中合わせに外部に向けて置かれた場合、対応する前記メイン画面と前記サブ画面の画面表示モードはシングルスクリーン表示モードであり、ここで、前記シングルスクリーン表示モードは、前記メイン画面と前記サブ画面のうち１つの画面のみが作動状態にあるモードである対応関係と、前記メイン画面と前記サブ画面との間の相対的な位置状態が、前記メイン画面と前記サブ画面が平に置かれた場合、対応する前記メイン画面と前記サブ画面の画面表示モードはデュアルスクリーン表示モードであり、ここで、前記デュアルスクリーン表示モードは、前記メイン画面と前記サブ画面が同時に作動状態にあるモードである対応関係と、を含む。
【０００８】
選択的に、前記デュアルスクリーン表示モードは、ワイドシングルスクリーンモード、デュアルスクリーンモード、ミラーモードのいずれかを含み、前記ワイドシングルスクリーンモードは、前記メイン画面と前記サブ画面が同じアプリケーションを共通に表示できるモードであり、前記デュアルスクリーンモードは、前記メイン画面と前記サブ画面がそれぞれ異なるアプリケーションを表示できるモードであり、前記ミラーモーは、前記メイン画面と前記サブ画面がいずれも縦長にある場合、前記メイン画面と前記サブ画面が同じアプリケーションを共通に表示でき、前記メイン画面と前記サブ画面がいずれも横長にある場合、前記メイン画面と前記サブ画面のうちの一方の画面はアプリケーションを表示するために使用され、他方の画面は入力操作を実行するために使用される。
【０００９】
選択的に、前記ホストは、異なるデュアルスクリーン表示モードに対して切り替えを行うためのホームボタンをさらに含む。
【００１０】
選択的に、前記ホストは、前記メイン画面と前記サブ画面の相対的な位置状態を制御するための電子スイッチをさらに含む。
【００１１】
本発明の他の実施例によれば、デュアルスクリーン端末中のメイン画面とサブ画面との間の相対的な位置状態を特定し、ここで、前記メイン画面は、前記デュアルスクリーン端末のホスト上に位置し、前記ホストと前記サブ画面はヒンジで連結されるステップと、前記メイン画面と前記サブ画面との間の相対的な位置状態に対応する前記メイン画面と前記サブ画面の画面表示モードを特定するステップと、特定した前記画面表示モードによって、前記メイン画面と前記サブ画面に対して表示処理を行うステップと、を含む画面表示方法が提供される。
【００１２】
選択的に、前記メイン画面と前記サブ画面との間の相対的な位置状態と、前記メイン画面と前記サブ画面の画面表示モードとの対応関係は、前記メイン画面と前記サブ画面との間の相対的な位置状態が、前記メイン画面と前記サブ画面が背中合わせに外部に向けて置かれた場合、対応する前記メイン画面と前記サブ画面の画面表示モードはシングルスクリーン表示モードであり、ここで、前記シングルスクリーン表示モードは、前記メイン画面と前記サブ画面のうち１つの画面のみが作動状態にあるモードである対応関係と、前記メイン画面と前記サブ画面との間の相対的な位置状態が、前記メイン画面と前記サブ画面が平に置かれた場合、対応する前記メイン画面と前記サブ画面の画面表示モードはデュアルスクリーン表示モードであり、ここで、前記デュアルスクリーン表示モードは、前記メイン画面と前記サブ画面が同時に作動状態にあるモードである対応関係と、を含む。
【００１３】
選択的に、前記デュアルスクリーン表示モードは、ワイドシングルスクリーンモード、デュアルスクリーンモード、ミラーモードのいずれかを含み、前記ワイドシングルスクリーンモードは、前記メイン画面と前記サブ画面が同じアプリケーションを共通に表示できるモードであり、前記デュアルスクリーンモードは、前記メイン画面と前記サブ画面がそれぞれ異なるアプリケーションを表示できるモードであり、前記ミラーモーは、前記メイン画面と前記サブ画面がいずれも縦長にある場合、前記メイン画面と前記サブ画面が同じアプリケーションを共通に表示でき、前記メイン画面と前記サブ画面がいずれも横長にある場合、前記メイン画面と前記サブ画面のうちの一方の画面はアプリケーションを表示するために使用され、他方の画面は入力操作を実行するために使用される。
【００１４】
選択的に、前記メイン画面と前記サブ画面との間の相対的な位置状態に対応する前記メイン画面と前記サブ画面の画面表示モードを特定するステップは、前記相対的な位置状態が、前記メイン画面と前記サブ画面が平に置かれた場合、前記端末のホスト上のホームボタンを押して入力した信号によって、前記デュアルスクリーン表示モードを特定するステップを含む。
【００１５】
選択的に、前記ホスト上のホームボタンを押して入力した信号によって、前記デュアルスクリーン表示モードを特定するステップは、前記端末のホスト上の前記ホームボタンを押すときの押圧力を特定するステップと、前記押圧力が第１の押圧力範囲内にある場合、前記デュアルスクリーン表示モードを前記ワイドシングルスクリーンモードと特定するステップと、前記押圧力が第２の押圧力範囲内にある場合、前記デュアルスクリーン表示モードを前記デュアルスクリーンモードと特定するステップと、前記押圧力が第３の押圧力範囲内にある場合、前記デュアルスクリーン表示モードを前記ミラーモードと特定するステップと、を含み、前記第１の押圧力範囲、前記第２の押圧力範囲、前記第３の押圧力範囲は互いに重畳しない圧力範囲である。
【００１６】
選択的に、前記ホスト上のホームボタンを押して入力した信号によって、前記デュアルスクリーン表示モードを特定するステップは、前記ホスト上の前記ホームボタンを押して入力した信号及び前記メイン画面を押して入力した信号によって、前記デュアルスクリーン表示モードを特定するステップを含む。
【００１７】
本発明の他の実施例によれば、デュアルスクリーン端末中のメイン画面とサブ画面との間の相対的な位置状態を特定し、ここで、前記メイン画面は、前記デュアルスクリーン端末のホスト上に位置し、前記ホストと前記サブ画面はヒンジで連結される第１の特定モジュールと、前記メイン画面と前記サブ画面との間の相対的な位置状態に対応する前記メイン画面と前記サブ画面の画面表示モードを特定する第２の特定モジュールと、特定した前記画面表示モードによって、前記メイン画面と前記サブ画面に対して表示処理を行う表示モジュールと、を備える画面表示装置がさらに提供される。
【００１８】
選択的に、前記メイン画面と前記サブ画面との間の相対的な位置状態と、前記メイン画面と前記サブ画面の画面表示モードとの対応関係は、前記メイン画面と前記サブ画面との間の相対的な位置状態が、前記メイン画面と前記サブ画面が背中合わせに外部に向けて置かれた場合、対応する前記メイン画面と前記サブ画面の画面表示モードはシングルスクリーン表示モードであり、ここで、前記シングルスクリーン表示モードは、前記メイン画面と前記サブ画面のうち１つの画面のみが作動状態にあるモードである対応関係と、前記メイン画面と前記サブ画面との間の相対的な位置状態が、前記メイン画面と前記サブ画面が平に置かれた場合、対応する前記メイン画面と前記サブ画面の画面表示モードはデュアルスクリーン表示モードであり、ここで、前記デュアルスクリーン表示モードは、前記メイン画面と前記サブ画面が同時に作動状態にあるモードである対応関係と、を含む。
【００１９】
選択的に、前記デュアルスクリーン表示モードは、ワイドシングルスクリーンモード、デュアルスクリーンモード、ミラーモードのいずれかを含み、前記ワイドシングルスクリーンモードは、前記メイン画面と前記サブ画面が同じアプリケーションを共通に表示できるモードであり、前記デュアルスクリーンモードは、前記メイン画面と前記サブ画面がそれぞれ異なるアプリケーションを表示できるモードであり、前記ミラーモードは、前記メイン画面と前記サブ画面がいずれも縦長にある場合、前記メイン画面と前記サブ画面が同じアプリケーションを共通に表示でき、前記メイン画面と前記サブ画面がいずれも横長にある場合、前記メイン画面と前記サブ画面のうちの一方の画面はアプリケーションを表示するために使用され、他方の画面は入力操作を実行するために使用される。
【００２０】
選択的に、前記第２の特定モジュールは、前記相対的な位置状態が、前記メイン画面と前記サブ画面が平に置かれた場合、前記端末のホスト上のホームボタンを押して入力した信号によって、前記デュアルスクリーン表示モードを特定する特定ユニットを備える。
【００２１】
選択的に、前記特定ユニットは、前記端末のホスト上の前記ホームボタンを押すときの押圧力を特定する第１の特定サブユニットと、前記押圧力が第１の押圧力範囲内にある場合、前記デュアルスクリーン表示モードを前記ワイドシングルスクリーンモードと特定する第２の特定サブユニットと、前記押圧力が第２の押圧力範囲内にある場合、前記デュアルスクリーン表示モードを前記デュアルスクリーンモードと特定する第３の特定サブユニットと、前記押圧力が第３の押圧力範囲内にある場合、前記デュアルスクリーン表示モードを前記ミラーモードと特定する第４の特定サブユニットと、を備え、前記第１の押圧力範囲、前記第２の押圧力範囲、前記第３の押圧力範囲は互いに重畳しない圧力範囲である。
【００２２】
選択的に、前記特定ユニットは、前記ホスト上の前記ホームボタンを押して入力した信号及び前記メイン画面を押して入力した信号によって、前記デュアルスクリーン表示モードを特定する第５の特定サブユニットを備える。
【００２３】
本発明の別の実施例によれば、記録媒体がさらに提供される。この記録媒体は、上記の各ステップを実行するためのプログラムコードを記憶する。
【発明の効果】
【００２４】
本発明によれば、ホストとサブ画面との間がヒンジで連結され、且つ、ホスト中のメイン画面とサブ画面との間の位置状態が表示モードに対応するので、メイン画面とサブ画面の位置状態を柔軟に調整でき、また、異なる位置状態が異なる表示モードに対応できるため、メイン画面とサブ画面の表示モードも柔軟に調整でき、これにより、関連技術におけるデュアルスクリーン端末がヒューマンコンピュータインタラクションに不便で、オフィス経験が悪い問題が解決され、ヒューマンコンピュータインタラクションに便利であるようにし、オフィス経験を改善させる効果を達成した。
【図面の簡単な説明】
【００２５】
ここの図面は、本発明に対する更なる理解を提供して、本発明の一部を構成し、本発明の例示的な実施例及びその説明は、本発明を解釈するだけで、本発明を限定するものではない。
【図１】本発明の実施例のデュアルスクリーン表示方法のモバイル端末のハードウェア構造のブロック図である。
【図２】本発明の実施例に係る画面表示方法のフローチャートである。
【図３】本実施例におけるデュアルスクリーンスマートフォン全体の方案を示す図である。
【図４】本実施例におけるナローシングルスクリーンモードを示す図である。
【図５】本実施例におけるタイル表示状態を示す図である。
【図６】本実施例における表示モードの変換を示す図である。
【図７】本実施例における全体回路の実現を示す図である。
【図８】本発明の実施例に係る画面表示装置の構造のブロック図である。
【図９】本発明の実施例に係る画面表示装置の第２の特定モジュール８０４の構造ブロック図である。
【図１０】本発明の実施例に係る画面表示装置の特定ユニット９０２の構造の第１のブロック図である。
【図１１】本発明の実施例に係る画面表示装置の特定ユニット９０２の構造の第２のブロック図である。
【発明を実施するための形態】
【００２６】
以下、図面を参照しながら実施例を併せて本発明を詳細に説明する。なお、衝突しない前提で、本発明の実施例及び実施例における特徴を互いに組み合わせてもよい。
【００２７】
なお、本発明の明細書と特許請求範囲及び上記の図面における用語「第１の」、「第２の」などは、類似する対象を区別するためのもので、特定の順序又は前後順序を説明するためには使用されない。
【００２８】
本発明の実施例に提供された方法の実施例は、モバイル端末、コンピュータ端末、又は、類似する演算装置において実行できる。モバイル端末で運転することを例として、図１は、本発明の実施例のデュアルスクリーン表示方法のモバイル端末のハードウェア構造のブロック図である。図１に示すように、モバイル端末１０は、１つ又は複数の（図１では、１つのみを示している）プロセッサー１０２（プロセッサー１０２はマイクロプロセッサーＭＣＵ又はプログラマブルロジックデバイスＦＰＧＡなどの処理装置を含むが、これに限定されない）と、データを記憶するためのメモリ１０４と、通信機能に用いられる伝送装置１０６と、を備えてもよい。当業者であれば、図１に示す構造は単なる例示的なものであり、上記の電子装置の構造を限定しないことが理解される。例えば、モバイル端末１０は、図１に示すより多く又は少ないユニットをさらに備えてもよく、或いは、図１に示すとは異なる配置を有してもよい。
【００２９】
メモリ１０４は、本発明の実施例におけるデュアルスクリーン表示方法に対応するプログラム命令／モジュールのような、アプリケーションソフトウェアのソフトウェアプログラム及びモジュールを記憶するために使用されることができ、プロセッサー１０２は、メモリ１０４に記憶されたソフトウェアプログラム及びモジュールを運転することによって、様々な機能アプリケーション及びデータ処理を実行し、つまり、上記の方法を実現する。メモリ１０４は、高速ランダムアクセスメモリを備えてもよく、例えば、１つ又は複数の磁気記憶装置、フラッシュメモリ、或いは他の不揮発性固体メモリのような不揮発性メモリをさらに備えてもよい。いくつかの例では、メモリ１０４は、プロセッサー１０２に対してリモートで設けたメモリを備えてもよく、これらのリモートメモリは、ネットワークを介してモバイル端末１０に接続することができる。上記ネットワークの例として、インターネット、イントラネット、ＬＡＮ、移動通信ネットワーク及びそれらの組み合わせを含むが、これに限定されない。
【００３０】
伝送装置１０６は、１つのネットワークを介してデータを受信又は送信するために使用される。上記のネットワークの例として、モバイル端末１０の通信プロバイダにより提供される無線ネットワークを含んでもよい。一例では、伝送装置１０６は、１つのネットワークアダプタ（Ｎｅｔｗｏｒｋ  Ｉｎｔｅｒｆａｃｅ  Ｃｏｎｔｒｏｌｌｅｒ、単にＮＩＣと称する）を備え、前記ネットワークアダプタは、基地局を介して他のネットワーク機器に接続されることで、インターネットと通信することができる。一例では、伝送装置１０６は、無線周波数（Ｒａｄｉｏ  Ｆｒｅｑｕｅｎｃｙ、単にＲＦと称する）モジュールであることができ、前記無線周波数モジュールは、無線の方法によってインターネットと通信するために使用される。
【００３１】
本実施例によれば、メイン画面を含むホストと、サブ画面と、を備えてもよく、ここで、上記ホストとサブ画面はヒンジで連結され、上記メイン画面とサブ画面との間の相対的な位置状態は、メイン画面とサブ画面の画面表示モードに対応するデュアルスクリーン端末が提供される。本実施例では、上記デュアルスクリーン端末は、デュアルスクリーン携帯電話であってもよく、或いは、他のデュアルスクリーン端末であってもよい。ホストとサブ画面はヒンジで連結されることができ、或いは、ホストとサブ画面との間が任意で回転するようにさせることができる他の連結方法であってもよく、ホストとサブ画面との間の回路は、フレキシブル回路基板（Ｆｌｅｘｉｂｌｅ  Ｐｒｉｎｔ  Ｃｉｒｃｕｉｔ  Ｂｏａｒｄ、単にＦＰＣと称する）を介して電気的に接続される。
【００３２】
本発明によれば、ホストとサブ画面との間がヒンジで連結され、且つ、ホスト中のメイン画面とサブ画面との間の位置状態は表示モードに対応するので、メイン画面とサブ画面の位置状態を柔軟に調整でき、また、異なる位置状態は異なる表示モードに対応することができるため、メイン画面とサブ画面の表示モードも柔軟に調整でき、これにより、関連技術におけるデュアルスクリーン端末がヒューマンコンピュータインタラクションに不便で、オフィス経験が悪い問題が解決され、ヒューマンコンピュータインタラクションに便利であるようにし、オフィス経験を改善させる効果を達成した。
【００３３】
一選択可能な実施例では、上記メイン画面とサブ画面との間の相対的な位置状態と、上記メイン画面とサブ画面の画面表示モードとの対応関係は、上記メイン画面とサブ画面との間の相対的な位置状態が、メイン画面とサブ画面が背中合わせに外部に向けて置かれる場合、対応するメイン画面とサブ画面の画面表示モードがシングルスクリーン表示モードであり、ここで、上記シングルスクリーン表示モードは、メイン画面とサブ画面のうち１つの画面のみが作動状態にある対応関係と、上記メイン画面とサブ画面との間の相対的な位置状態が、メイン画面とサブ画面が平に置かれた場合、対応するメイン画面とサブ画面の画面表示モードはデュアルスクリーン表示モードであり、ここで、上記デュアルスクリーン表示モードはメイン画面とサブ画面が同時に作動状態にあるモードである対応関係と、を含む。本実施例では、上記メイン画面とサブ画面が平に置かれることは、横タイリング及び縦タイリングを含み、ユーザの経験を向上させた。
【００３４】
一選択可能な実施例では、上記デュアルスクリーン表示モードは、ワイドシングルスクリーンモード、デュアルスクリーンモード、ミラーモードのいずれかを含むことができ、ここで、上記ワイドシングルスクリーンモードは、メイン画面とサブ画面が同じアプリケーションを共通に表示できるモードであり、上記デュアルスクリーンモードは、メイン画面とサブ画面が異なるアプリケーションをそれぞれ表示できるモードであり、上記ミラーモードは、メイン画面とサブ画面がいずれも縦長にある場合、上記メイン画面とサブ画面が同じアプリケーションを共通に表示でき、上記メイン画面とサブ画面がいずれも横長にある場合、上記メイン画面とサブ画面うちの一方の画面は、アプリケーションを表示するために使用され、他方の画面は、入力操作を実行するために使用される。本実施例では、メイン画面とサブ画面が表示する機能は互いに交換でき、メイン画面をディスプレイとし、サブ画面をキーボード画面とすることができ、対応するメイン画面はキーボード画面であってもよく、サブ画面はディスプレイであってもよく、ユーザは、必要に応じて調整を行うことができ、ユーザの要求を効果的に満足させた。
【００３５】
一選択可能な実施例では、上記ホストは、異なるデュアルスクリーン表示モードに対して切り替えを行うためのホームボタンをさらに備える。本実施例では、ホームボタンに対する力によって、表示モードを切り替えることができる。
【００３６】
一選択可能な実施例では、上記ホストは、上記メイン画面とサブ画面の相対的な位置状態を制御するための電子スイッチをさらに備える。本実施例では、電子スイッチは、磁気誘導型電子スイッチ（例えば、ホールスイッチ）であってもよく、誘導原理に従ってメイン画面とサブ画面との間の位置状態の変換を行い、重畳であってもよく、タイルであってもよい。電子スイッチが閉じられる場合、メイン画面とサブ画面は背中合わせに外部に向けて置かれることができ、この場合、サブ画面はスリープ状態にあることができる。電子スイッチを利用すると、メイン画面とサブ画面との間の位置変換の柔軟性を向上できる。
【００３７】
本実施例では、上記ホストは、マルチメディアサブプロセッサーをさらに備え、ここで、マルチメディアサブプロセッサーは、１つのフレキシブル回路基板ＰＦＣを介してメイン画面に接続し、サブ画面は１つのコントローラーを備え、マルチメディアサブプロセッサーは、１つのＰＦＣを介してコントローラーと接続し、つまり、ホストとサブ画面との間の電気的接続及びデータ信号の相互伝送を実現した。
【００３８】
図２は、本発明の実施例に係る画面表示方法のフローチャートであり、図２に示すように、このフローは、下記のステップを含む。
【００３９】
ステップＳ２０２：デュアルスクリーン端末中のメイン画面とサブ画面との間の相対的な位置状態を特定し、ここで、上記メイン画面は上記デュアルスクリーン端末のホスト上に位置し、上記ホストとサブ画面はヒンジで連結される。
【００４０】
ステップＳ２０４：上記メイン画面と上記サブ画面との間の相対的な位置状態に対応する上記メイン画面とサブ画面の画面表示モードを特定する。
【００４１】
ステップＳ２０６：特定した上記画面表示モードによって、上記メイン画面とサブ画面に対して表示処理を行う。
【００４２】
上記ステップによれば、メイン画面とサブ画面との間の相対的な位置状態によって、メイン画面とサブ画面との間の画面表示モードを特定し、また、画面表示モードによってメイン画面とサブ画面との間の表示に表示処理を行うことによって、関連技術におけるデュアルスクリーン端末がヒューマンコンピュータインタラクションに不便で、オフィス経験が悪い問題が解決され、ヒューマンコンピュータインタラクションに便利であるようにし、オフィス経験を改善させる効果を達成した。
【００４３】
選択的に、上記ステップの実行主体は、端末（例えば、携帯電話、タブレットＰＣなど）であってもよいが、これに限定されない。
【００４４】
一選択可能な実施例では、上記メイン画面とサブ画面との間の相対的な位置状態と、上記メイン画面とサブ画面の画面表示モードとの対応関係は、上記メイン画面と上記サブ画面との間の相対的な位置状態が、上記メイン画面と上記サブ画面が背中合わせで外部に向けて置かれた場合、対応する上記メイン画面と上記サブ画面の画面表示モードはシングルスクリーン表示モードであり、ここで、上記シングルスクリーン表示モードは、上記メイン画面と上記サブ画面のうち１つの画面のみが作動状態にあるモードである対応関係と、上記メイン画面と上記サブ画面との間の相対的な位置状態が、上記メイン画面と上記サブ画面が平に置かれた場合、対応する上記メイン画面と上記サブ画面の画面表示モードはデュアルスクリーン表示モードであり、ここで、上記デュアルスクリーン表示モードは上記メイン画面と上記サブ画面が同時に作動状態にあるモードである対応関係と、を含む。本実施例では、上記デュアルスクリーン端末は、一般的な携帯電話としもよく、或いは、デュアルスクリーン表示を行ってもよく、オフィス又は他の機能の使用に便利であり、ユーザの経験度を有効に向上させた。
【００４５】
一選択可能な実施例では、上記デュアルスクリーン表示モードは、ワイドシングルスクリーンモード、デュアルスクリーンモード、ミラーモードのいずれかを含み、ここで、上記ワイドシングルスクリーンモードは上記メイン画面とサブ画面が同じアプリケーションを共通に表示できるモードであり、上記デュアルスクリーンモードは、上記メイン画面とサブ画面が異なるアプリケーションをそれぞれ表示できるモードであり、上記ミラーモードは、上記メイン画面とサブ画面が縦長にある場合、上記メイン画面とサブ画面が同じアプリケーションを共通に表示でき、上記メイン画面とサブ画面がいずれも横長にある場合、上記メイン画面とサブ画面中のうちの一方の画面はアプリケーションを表示するために使用され、他方の画面は入力操作を実行するために使用される。本実施例では、上記の入力操作は、ソフトキーボードで入力操作を行ってもよい。メイン画面とサブ画面間の表示機能と入力機能は互いに交換してもよい。
【００４６】
一選択可能な実施例では、上記メイン画面とサブ画面との間の相対的な位置状態に対応する上記メイン画面とサブ画面の画面表示モードを特定するステップは、上記相対的な位置状態が、上記メイン画面とサブ画面が平に置かれた場合、上記端末のホスト上のホームボタンを押して入力した信号によって、上記デュアルスクリーン表示モードを特定するステップを含む。
【００４７】
一選択可能な実施例では、上記ホスト上のホームボタンを押して入力した信号によって、上記デュアルスクリーン表示モードを特定するステップは、上記端末のホスト上の上記ホームボタンを押すときの押圧力を特定するステップと、上記押圧力が第１の押圧力範囲内にある場合、上記デュアルスクリーン表示モードを上記ワイドシングルスクリーンモードと特定するステップと、上記押圧力が第２の押圧力範囲内にある場合、上記デュアルスクリーン表示モードを上記デュアルスクリーンモードと特定するステップと、上記押圧力が第３の押圧力範囲内にある場合、上記デュアルスクリーン表示モードを上記ミラーモードと特定するステップと、を含み、ここで、上記第１の押圧力範囲、上記第２の押圧力範囲、上記第３の押圧力範囲は、互いに重畳しない圧力範囲である。本実施例では、さらに、ホールスイッチ、加速度センサー、ソフトウェアキーを利用して表示モードの切り替えを行うことができる。
【００４８】
一選択可能な実施例では、上記ホスト上のホームボタンを押して入力した信号によって、上記デュアルスクリーン表示モードを特定するステップは、上記ホスト上の上記ホームボタンを押して入力した信号及び上記メイン画面を押して入力した信号によって、上記デュアルスクリーン表示モードを特定するステップを含む。
【００４９】
以下、実施例を併せて本発明を詳細に説明する。
【００５０】
以下、デュアルスクリーン端末がデュアルスクリーン携帯電話であることを例として、本発明を例を挙げて説明する。
【００５１】
本実施例に示すデュアルスクリーン携帯電話は、携帯電話ホストと、サブ画面との２つの大きい部分を備え、ホスト部分は、ハウジング、プリント回路基板、メイン画面（メイン液晶ディスプレイ（Ｌｉｑｕｉｄ  Ｃｒｙｓｔａｌ  Ｄｉｓｐｌａｙ、単にＬＣＤと称する）／タッチパネル（Ｔｏｕｇｈ  Ｐａｎｅｌ、単にＴＰと称する））、電池、カメラ、外部メモリカードモジュールを備え、プリント回路基板の機能モジュールとして、メインプロセッサーモジュール、内蔵メモリモジュール、電源管理モジュール、無線周波数モジュール、無線ＬＡＮ（Ｗｉｒｅｌｅｓｓ  Ｆｉｄｅｌｉｔｙ、単にＷＩＦＩと称する）＼ＢＴダウンロード（Ｂｉｔ  Ｔｏｒｒｅｎｔ、単にＢＴと称する）＼ファックスメールボックス（Ｆａｘ  Ｍａｉｌ、単にＦＭと称する）＼グローバルポジショニングシステム（Ｇｌｏｂａｌ  Ｐｏｓｉｔｉｏｎｉｎｇ  Ｓｙｓｔｅｍ、単にＧＰＳと称する）モジュール、オーディオモジュール、センサーモジュール、センサーモジュールがあり、プリント回路基板の外部インターフェースとして、イヤホンインターフェース、フロントフラッシュ、リアフラッシュ、モーター、マイク、レシーバー、スピーカー、ユーザーカード、ボリュームキー、スイッチキー、ユニバーサルシリアルバス（Ｕｎｉｖｅｒｓａｌ  Ｓｅｒｉａｌ  Ｂｕｓ、単にＵＳＢと称する）ＵＳＢインターフェース、メイン／サブアンテナ、ＷＩＦＩ＼ＢＴ＼ＦＭ＼ＧＰＳアンテナがある。サブ画面の部分はハウジング、サブＬＣＤ／ＴＰ、開閉制御回路及び機構を含み、２つの大きな部分構造はヒンジ構造によって連結され、回路の部分は、フレキシブル回路基板を介して接続される。
【００５２】
図３は、本実施例におけるデュアルスクリーンスマートフォン全体の方案を示す図であり、図３に示すように、メイン画面とサブ画面との間の角度（角度は予め設定できる）を変更することで、携帯電話はシングルスクリーンとデュアルスクリーン位置を採用して作動でき、２つの位置状態は、ナローシングルスクリーンモード、ワイドシングルスクリーンモード、デュアルスクリーンモード、ミラーモード（上記デュアルスクリーン端末表示モードに対応する）の４つの表示モードにそれぞれ対応する。ホストとサブ画面部分のハウジングの色は、同じであってもよく、又は、異なってもよい。メイン画面とサブ画面はいずれも外部に向けると、サブ画面はオフされる。ホストは、完全な携帯電話機能を有し、サブ画面はヒューマンコンピュータインタラクションを表示する機能を有し、携帯電話メイン画面とサブ画面のサイズ及び解像度は同一である。
【００５３】
４つの表示モードを紹介すれば、次のとおりである。
【００５４】
ナローシングルスクリーンモード（上記のシングルスクリーン表示モードに対応する）
図４は、本実施例におけるナローシングルスクリーンモードを示す図であり、図４に示すように、メイン画面とサブ画面（図４におけるサブ画面に対応する）が背中合わせの位置で作動する場合では、ナローシングルスクリーンモードであり、メイン画面とサブ画面が背中合わせで、ホールスイッチが閉じられ、サブ画面がオフ状態（即ち、スリープ状態）にあり、このモードで、携帯電話は音声、メッセージ、データ、マルチメディアサービスを正常に使用でき、各サービスはいずれもホストコンピュー画面で操作を行う。
【００５５】
ワイドシングルスクリーンモード
図５は、本実施例におけるタイル表示状態を示す図であり、図５に示すように、メイン画面とサブ画面は平に表示を行い、ホストとサブ画面は相対的に平行な位置に位置し、メイン画面とサブ画面はいずれも作動状態にあり、このモードで携帯電話は音声、メッセージ、データ、マルチメディアサービスを正常に使用でき、アプリケーションはメイン画面とサブ画面上で表示して操作でき、メイン画面又はサブ画面は１つのアプリケーションをタイル表示する。タイル表示状態でメイン／サブ画面は同時に作動し、ホームボタン及び３つの仮想キーによって、ワイドシングルスクリーン、デュアルスクリーン、ミラー表示モードに切り替えを行う。
【００５６】
デュアルスクリーンモード
メイン画面とサブ画面がタイル状態で作動し、メイン画面とサブ画面がホームボタン及びソフトウェアスイッチによってワイドシングルスクリーンとデュアルスクリーンモードとの間で切り替えを行う。図５に示すように、このモードで、携帯電話は音声、メッセージ、データ、マルチメディアサービスを正常に使用でき、メイン画面、又は、サブ画面でアプリケーションＡ＋アプリケーションアイコン、又は、アプリケーションＡ＋アプリケーションＢを分けて表示し、メイン画面とサブ画面のいずれでも操作できる。
【００５７】
ミラーモード
メイン画面とサブ画面がタイル状態で作動し、メイン画面とサブ画面はホームボタン及びソフトウェアスイッチによって、ワイドシングルスクリーン、デュアルスクリーンモード及びワイド画面ミラーモードの間で切り替え、このモードにおいて、縦長と横長の２つの表示方法があり、図５に示してある。このモードで、携帯電話は音声、メッセージ、データ、マルチメディアサービスを正常に使用でき、メイン画面又はサブ画面上でアプリケーションＡを同時に表示し、メイン画面とサブ画面のいずれでも操作でき、横長である場合、メイン画面又はサブ画面はメニューを介して仮想キーボードを開くかまたは閉じ、他方の画面はアプリケーションと入力ボックスを表示する。
【００５８】
作動モードの切り替え
図６は、本実施例における表示モードの変換を示す図であり、図６に示すように、４つのモードの間の切り替えの場合、ホールスイッチ、加速度センサー、ホームボタン、ソフトウェアキー及びスイッチを介して切り替えを行う。
【００５９】
回路実現の方案
図７は、本実施例における全体回路の実現を示す図であり、図７に示すように、メイン画面とサブ画面は２組のＦＰＣとメインプロセッサーモジュールのうちの１つのマルチメディアサブプロセッサーを接続し、メイン画面とサブ画面にデータ及び制御信号を伝送し、電源制御ユニットはメイン画面とサブ画面に電力供給の解決方案を提供する。
【００６０】
図７に示すように、全体回路は、主に二つの部分で構成され、第１の部分は、メインプロセッサーシステムであり、回路基板は、携帯電話メイン画面のハウジングに位置し、回路基板には、メインプロセッサー及び外部電源、オーディオ、ＷＩＦＩ＼ＢＴ＼ＧＰＳ＼ＦＭモジュール、無線周波数モジュール、センサー、外部インターフェースモジュール及びメイン画面表示モジュールがあり、第２の部分はサブ画面コントローラー及びサブ画面モジュール、及びサブ画面であり、ＦＰＣ及び磁気ブロックは携帯電話のサブ画面のハウジングに位置する。第１の部分はヒンジ構造、ＦＰＣによって第２の部分に接続され、共通に作動する。最も好ましい技術的案は、次の部分を含む。
【００６１】
第１の部分：メインプロセッサー中のマルチメディアサブプロセッサー
メインプロセッサーモジュール中の１つのマルチメディアサブプロセッサー、２つのディスプレイモバイル産業プロセッサインターフェース（Ｍｏｂｉｌｅ  Ｉｎｄｕｓｔｒｙ  Ｐｒｏｃｅｓｓｏｒ  Ｉｎｔｅｒｆａｃｅ、単にＭＩＰＩと称する）インターフェース回路は、１つのサブプロセッサー及び制御回路を共通に使用し、メイン画面とサブ画面を同時に駆動でき、マルチメディアサブプロセッサーのブロック図は図６に示すようであり、メイン画面とサブ画面は同じファイルやグラフィックをクロスで表示でき、或いは分けて表示でき、大画面ディスプレイ方法を実現して、ユーザに良いユーザ経験を提供した。
【００６２】
第２の部分：４つのモードの切り替え
４つの作動モードはホールスイッチ、加速度センサー、ホームボタン、ソフトウェアキー及びスイッチを介して、各モードの間の切り替えを実現でき、各モードでデュアルスクリーンは異なる内容を表示し、異なる機能をサポートする。
【００６３】
第３の部分：デュアルスクリーン携帯電話は、キーボード機能を実現でき、より良いヒューマンコンピュータインタラクション機能を有する。
【００６４】
上記の実施例によって、正と負の方向及び２つのサイズの携帯電話の表示サイズを実現でき、ユーザにより多くの選択、及びより良い経験を提供した。デュアルスクリーンクロスでファイルを閲覧することを実現でき、より多くの内容を表示して、表示範囲がさらに大きい。さらに大きい入力キーボードにより、携帯電話のモバイルオフィスがより便利であり、部分的にポータブルコンピュータを代替する機能を満足させた。
【００６５】
以上の実施形態の説明を介して、当業者であれば、上記実施例の方法がソフトウェアと必要の一般的なハードウェアプラットフォームによって実現できることを明らかに知ることができ、もちろん、ハードウェアによって実現することもできるが、多くの場合には、前者のハードウェアプラットフォームがより好ましい実施形態である。これらの理解に基づいて、本発明の技術的案は本質的に、或いは、従来技術に対して貢献をした部分は、ソフトウェア製品の形で具現されることができ、このコンピュータソフトウェア製品は、１つの記録媒体（例えば、ＲＯＭ／ＲＡＭ、磁気ディスク、光ディスク）に記憶され、いくつかの命令は、一台の端末機器（携帯電話、コンピュータ、サバー、又はネットワーク機器などであってもよい）が本発明の各実施例に記載の方法を実行するようにさせる。
【００６６】
本実施例によれば、画面表示装置がさらに提供され、この装置は、上記の実施例及び好ましい実施形態を実現するためのもので、既に説明されている部分については詳細な説明を省略する。以下に使用された用語「モジュール」は、予め設定した機能のソフトウェア及び／又はハードウェアの組み合わせを実現できる。以下の実施例に説明する装置は、ソフトウェアで実現されることが好ましいが、ハードウェア、又は、ソフトウェア及びハードウェアの組み合わせで実現することも構想されるものである。
【００６７】
図８は、本発明の実施例に係る画面表示装置の構造ブロック図であり、図８に示すように、この装置は、第１の特定モジュール８０２、第２の特定モジュール８０４及び表示モジュール８０６を備え、以下、この装置を詳細に説明する。
【００６８】
第１の特定モジュール８０２：デュアルスクリーン端末中のメイン画面とサブ画面との間の相対的な位置状態を特定し、ここで、上記メイン画面は上記デュアルスクリーン端末のホスト上に位置し、上記ホストと上記サブ画面はヒンジで連結される。
第２の特定モジュール８０４：上記第１の特定モジュール８０２に接続され、上記メイン画面と上記サブ画面との間の相対的な位置状態に対応する上記メイン画面と上記サブ画面の画面表示モードを特定する。
表示モジュール８０６：上記第２の特定モジュール８０４に接続され、特定した上記画面表示モードによって、上記メイン画面と上記サブ画面に対して表示処理を行う。
【００６９】
一選択可能な実施例では、上記メイン画面と上記サブ画面との間の相対的な位置状態と、上記メイン画面と上記サブ画面の画面表示モードの対応関係は、上記メイン画面と上記サブ画面との間の相対的な位置状態が、上記メイン画面と上記サブ画面が背中合わせに外部に向けて置かれた場合、対応する上記メイン画面と上記サブ画面の画面表示モードはシングルスクリーン表示モードであり、ここで、上記シングルスクリーン表示モードは、上記メイン画面と上記サブ画面のうち１つの画面のみが作動状態にあるモードである対応関係と、上記メイン画面と上記サブ画面との間の相対的な位置状態が、上記メイン画面と上記サブ画面が平に置かれた場合、対応する上記メイン画面と上記サブ画面の画面表示モードはデュアルスクリーン表示モードであり、ここで、上記デュアルスクリーン表示モードは上記メイン画面と上記サブ画面が同時に作動状態にあるモードである対応関係と、を含む。
【００７０】
一選択可能な実施例では、上記デュアルスクリーン表示モードは、ワイドシングルスクリーンモード、デュアルスクリーンモード、ミラーモードのいずれかを含み、ここで、上記ワイドシングルスクリーンモードは、上記メイン画面と上記サブ画面が同じアプリケーションを共通に表示できるモードであり、上記デュアルスクリーンモードは、上記メイン画面と上記サブ画面がそれぞれ異なるアプリケーションを表示できるモードであり、上記ミラーモードは、上記メイン画面と上記サブ画面が縦長にある場合、上記メイン画面と上記サブ画面が同じアプリケーションを共通に表示でき、上記メイン画面と上記サブ画面がいずれも横長にある場合、上記メイン画面と上記サブ画面のうちの一方の画面はアプリケーションを表示するために使用され、他方の画面は入力操作を実行するために使用される。
【００７１】
一選択可能な実施例では、図９は、本発明の実施例に係る画面表示装置の第２の特定モジュール８０４の構造ブロック図であり、図９に示すように、第２の特定モジュール８０４は、特定ユニット９０２を備え、以下、第２の特定モジュール８０４を詳細に説明する。
特定ユニット９０２：上記相対的な位置状態が、上記メイン画面と上記サブ画面が平に置かれた場合、上記端末のホスト上のホームボタンを押して入力した信号によって、上記デュアルスクリーン表示モードを特定する。
【００７２】
一選択可能な実施例では、図１０は、本発明の実施例に係る画面表示装置特定ユニット９０２の構造の第１のブロック図であり、図１０に示すように、特定ユニット９０２は、第１の特定サブユニット１００２、第２の特定サブユニット１００４、第３の特定サブユニット１００６及び第４の特定サブユニット１００８を備え、以下、特定ユニット９０２を詳細に説明する。
【００７３】
第１の特定サブユニット１００２：上記端末のホスト上の上記ホームボタンを押すときの押圧力を特定する。第２の特定サブユニット１００４：上記第１の特定サブユニット１００２に接続され、上記押圧力が第１の押圧力範囲内にある場合、上記デュアルスクリーン表示モードを上記ワイドシングルスクリーンモードと特定する。第３の特定サブユニット１００６：上記第１の特定サブユニット１００２に接続され、上記押圧力が第２の押圧力範囲内にある場合、上記デュアルスクリーン表示モードを上記デュアルスクリーンモードと特定する。第４の特定サブユニット１００８：上記第１の特定サブユニット１００２に接続され、上記押圧力が第３の押圧力範囲内にある場合、上記デュアルスクリーン表示モードを上記ミラーモードと特定する。ここで、上記第１の押圧力範囲、上記第２の押圧力範囲、上記第３の押圧力範囲は互いに重畳しない圧力範囲である。
【００７４】
一選択可能な実施例では、図１１は、本発明の実施例に係る画面表示装置特定ユニット９０２の構造の第２のブロック図であり、図１１に示すように、特定ユニット９０２は第５の特定サブユニット１１０２を備え、以下、特定ユニット９０２を詳細に説明する。
【００７５】
第５の特定サブユニット１１０２：上記ホスト上の上記ホームボタンを押して入力した信号及び上記メイン画面を押して入力した信号によって、上記デュアルスクリーン表示モードを特定する。
【００７６】
なお、上記各モジュールは、ソフトウェア又はハードウェアにより実現でき、ハードウェアについては、以下の方法で実現できるが、これに限定されない。上記モジュールはいずれも同じプロセッサーに位置され、或いは、上記各モジュールは任意の組み合わせの形でそれぞれ異なるプロセッサーに位置する。
【００７７】
本発明の実施例は、記録媒体をさらに提供する。選択的に、本実施例では、上記記録媒体は、以上の各ステップを実行するためのプログラムコードが記憶されることができる。
【００７８】
選択的に、本実施例では、上記記録媒体は、ＵＳＢ、読み取り専用メモリ（Ｒｅａｄ−Ｏｎｌｙ  Ｍｅｍｏｒｙ、単にＲＯＭと称する）、ランダムアクセスメモリ（Ｒａｎｄｏｍ  Ａｃｃｅｓｓ  Ｍｅｍｏｒｙ、単にと称するＲＡＭ）、モバイルハードディスク、磁気ディスクや光ディスクなどのプログラムコードを記憶できる様々な媒体を含むことができるが、これらに限定されない。
【００７９】
選択的に、本実施例では、プロセッサーは、記録媒体に記憶されているプログラムコードによって、以上の各ステップを実行できる。
【００８０】
選択的に、本実施例の例は、上記実施例及び選択可能な実施形態に説明された例を参照でき、本実施例では、ここで詳細な説明を省略する。
【００８１】
また、当業者にとっては、上記の本発明の各モジュール又は各ステップが、汎用の計算装置により実現されることができ、それらは単体の計算装置に集中されてもよく、又は複数の計算装置により構成されたネットワークに分散されてもよく、選択的に、それらは計算装置の実行可能なプログラムコードにより実現されることができ、これによって、それらを記憶装置の中に記憶させて計算装置により実行されることができ、また、場合によっては、こちらの手順と異なる手順で示した又は説明されたステップを実行し、又はそれらをそれぞれの集積回路モジュールに製造し、又はそれらのうちの複数のモジュール又はステップを単体の集積回路モジュールに製造して実現されることができることが明らかなことである。このように、本発明はいずれの特定のハードウェア及びソフトウェアの組み合わせに限定されない。
【００８２】
以上は本発明の好ましい実施例にすぎず、本発明を限定するものではなく、当業者にとっては、本発明は様々な変更及び変化を有してもよい。本発明の精神及び原則を逸脱しない範囲内でのいずれの変更、同等の代替、変形等は全て本発明の範囲に含まれる。
【産業上の利用可能性】
【００８３】
本発明は、通信分野に用いられて、メイン画面とサブ画面の位置状態を柔軟に調整し、また、メイン画面とサブ画面の表示モードを柔軟に調整でき、これにより、関連技術におけるデュアルスクリーン端末がヒューマンコンピュータインタラクションに不便で、オフィス経験が悪い問題が解決され、ヒューマンコンピュータインタラクションに便利であるようにし、オフィス経験を改善させる効果を達成した。 
【図１】
2019502141.tif 000003
【図２】
2019502141.tif 000004
【図３】
2019502141.tif 000005
【図４】
2019502141.tif 000006
【図５】
2019502141.tif 000007
【図６】
2019502141.tif 000008
【図７】
2019502141.tif 000009
【図８】
2019502141.tif 000010
【図９】
2019502141.tif 000011
【図１０】
2019502141.tif 000012
【図１１】
2019502141.tif 000013
【国際調査報告】
2019502141.tif 000014
2019502141.tif 000015
2019502141.tif 000016
2019502141.tif 000017